(57)【特許請求の範囲】
【請求項１】
ディスク状記録媒体の読み出し信号から得た、変調方式が異なるアドレス情報と記録データの復号データを復調部に転送するためのデータ転送方法において、
上記アドレス情報及び記録データの復号データを、二つの復号データのクロックの互いに異なる分周値に対して最小公倍数の分周値となるクロックで、かつ上記二つの復号データの互いに異なる各チャネル数の最小公倍数のチャネル数の並列転送により転送するデータ転送方法。
【請求項２】
上記アドレス情報と記録データのそれぞれの変調方式が異なっていてチャネルビットの最短反転間隔が異なるような場合に、上記二つの復号データのクロックの互いに異なる分周値に対して最小公倍数の分周値となるクロックで上記二つの復号データの互いに異なる各チャネル数の最小公倍数のチャネル数の並列転送を行う請求項１記載のデータ転送方法。
【請求項３】
アドレス情報エリアと、記録再生エリアとを交互に配置してなるディスク状記録媒体からの上記アドレス情報と記録データの復号データを復調部に転送する請求項１記載のデータ転送方法。
【請求項４】
ディスク状記録媒体から信号を読み出すヘッド手段と、
上記ヘッド手段からの信号に対して再生処理を施す再生処理手段と、
上記再生処理手段の出力から変調方式の異なるアドレス情報と記録データを復号し、これら復号データを各復号データのクロックの互いに異なる分周値に対して最小公倍数の分周値となるクロックで、かつ上記各復号データの互いに異なる各チャネル数の最小公倍数のチャネル数の並列転送により転送する復号処理手段と、
上記復号処理手段から転送された復号データを記録データに復調する復調手段とを備えるデータ再生装置。
【請求項５】
上記復号処理手段は、上記アドレス情報と記録データのそれぞれの変調方式が異なっていてチャネルビットの最短反転間隔が異なるような場合に、上記各復号データのクロックの互いに異なる分周値に対して最小公倍数の分周値となるクロックで上記各復号データの互いに異なる各チャネル数の最小公倍数のチャネル数の並列転送を行う請求項４記載のデータ再生装置。
【請求項６】
上記ヘッド手段は、アドレス情報エリアと、記録再生エリアとを交互に配置してなるディスク状記録媒体から信号を読み出す請求項４記載のデータ再生装置。
【請求項７】
上記再生処理手段は、上記ヘッド手段が再生した信号に対して、ＲＦ処理、ウォブル処理及びサーボ処理を施す請求項４記載のデータ再生装置。
【発明の詳細な説明】
【０００１】
【発明の属する技術分野】
本発明は、例えばＲＬＬ（Run Length Limited）符号を用いて情報を記録した記録媒体から読み出した再生ＲＦ信号を、少なくとも１つのコンパレートレベルに基づいて復号して得たチャネルビットデータを、復調部に転送するデータ転送方法に関する。また、上記データ転送方法によりチャネルビットデータを復調部に転送し、復調部においてデータを復調するデータ再生装置に関する。
【０００２】
【従来の技術】
高密度記録を可能とするため、ピット列によりアドレスデータをプリフォーマットするとともに、このアドレスデータが記録されているアドレス情報エリアと、データが記録されている、又は記録されるユーザエリアとを交互に配置し、ユーザエリアにはグルーブを蛇行して形成してなる大容量光ディスクがある。
【０００３】
この大容量光ディスクでも、一般的な光ディスクや光磁気ディスクと同様に記録に適するようにデータの変調が行われる。このような変調の一つとしてブロック符号が知られている。このブロック符号は、データ列をｍ×ｉビットからなる単位（以下データ語という）にブロック化し、このデータ語を適当な符号則に従ってｎ×ｉビットからなる符号語に変換するものである。そしてｉ＝１のときには固定長符号となり、またｉが複数個選べるとき、すなわちｉが２以上で最大のｉであるｉｍａｘ＝ｒで変換したときには可変長符号となる。このブロック符号化された符号は可変長符号（ｄ，ｋ；ｍ，ｎ；ｒ）と表す。ここでｉは拘束長という。ｒは最大拘束長である。また、ｄ及びｋは符号系列内の連続する”１”の間に入る”０”の最小連続個数及び”０”の最大連続個数である。
【０００４】
上記大容量光ディスクにおいては、アドレスのデータ語をパラメータ（２，７；１，２；４）のＲＬＬ（２，７）変調による符号語（チャネルビット）として記録し、ユーザエリアへ記録するデータ語はパラメータ（１，７；２，３；２）の１，７ＰＰ変調によるチャネルビットとしている。したがって、上記大容量光ディスクからデータを再生する装置のデータ復号部では、ＲＬＬ（２，７）変調されたアドレスのチャネルビットと、１，７ＰＰ変調されたデータのチャネルビットを生成し、これらを復調部に転送してデータ語を復調する。
【０００５】
ところで、上記大容量光ディスクからデータを再生する装置においては、チャネルクロックは高速であることが想定されるため、アドレス／データのチャネルビットを生成するリードチャネルプロセッサから復調部へのデータ転送は複数チャネルのパラレルデータにする必要がある。
【０００６】
【発明が解決しようとする課題】
ところで、復調部ではアドレスのチャネルビット、３チャネルビットを２データビットとする方式（（２，７）変調に対する）が採用され、データのチャネルビット、２チャネルビットを１データビットとする方式（（１，７ＰＰ）変調に対する）が採用されているため、データバスを共有する場合、３チャネルパラレルでも２チャネルパラレルでも復調部側にとっては好ましくない。
【０００７】
またデータバスを３チャネルパラレルにしアドレス部とデータ部で転送するチャネルビットは３チャネルパラレルと２チャネルパラレルを切り替え、それぞれの同期クロック（３分周クロックと２分周クロック）も切り替えるようにしたとしても、分周クロックは２分周クロックを基準に作られるので、３分周クロックはオフデユーティーになり、例えば基準クロックが１３０MHzであった場合には、３分周クロックのパルス幅は２分周のクロックと同様７．７nsとかなり短いものとなってしまう。
【０００８】
本発明は、上記実情に鑑みてなされたものであり、アドレスのチャネルビットとデータのチャネルビットを共有のデータバスでデータ転送するとき、復調部でどちらを復調するにも都合の良いビット単位でのデータ転送を可能とするデータ転送方法の提供を目的とする。
【０００９】
また、上記データ転送方法を適用して大容量光ディスクからデータを再生するデータ再生装置の提供を目的とする。
【００１０】
【課題を解決するための手段】
本発明に係るデータ転送方法は、上記課題を解決するために、ディスク状記録媒体の読み出し信号から得た、変調方式が異なるアドレス情報と記録データの復号データを復調部に転送するためのデータ転送方法において、上記アドレス情報と記録データの復号データを両者の最小公倍数のクロックで、かつ最小公倍数の並列転送により転送することを特徴とする。
【００１１】
また、本発明に係るデータ再生装置は、上記課題を解決するために、ディスク状記録媒体から信号を読み出すヘッド手段と、上記ヘッド手段からの信号に対して再生処理を施す再生処理手段と、上記再生処理手段の出力から変調方式の異なるアドレス情報と記録データを復号し、これら復号データを両者の最小公倍数のクロックで、かつ最小公倍数の並列転送により転送する復号処理手段と、上記復号処理手段から転送された復号データを記録データを復調する復調手段とを備えることを特徴とする。
【００１２】
【発明の実施の形態】
以下、本発明の実施の形態について図面を参照しながら説明する。
この実施の形態は、エンボスピットにより形成されたアドレス情報エリアと、ウォブリングされたグルーブがスパイラル状に形成されてなる記録再生エリアとを有している光ディスクに対してデータを記録再生する光ディスク記録再生装置である。この光ディスクには、アドレスのデータ語をパラメータ（２，７；１，２；４）のＲＬＬ（２，７）変調による符号語（チャネルビット）として記録し、ユーザエリアへ記録するデータ語はパラメータ（１，７；２，３；２）の１，７ＰＰ変調によるチャネルビットとしている。したがって、上記光ディスクからデータを再生する装置側では、ＲＬＬ（２，７）変調されたアドレスのチャネルビットと、１，７ＰＰ変調されたデータのチャネルビットを復号し、これらを復調部に転送してデータ語を復調する。
【００１３】
光ディスク記録再生装置の構成を図１に示す。光ディスク１０上の信号記録面に対して信号の読み取り、及び書き込みのためにレーザ光を適切に照射する光学ヘッド（ＯＰヘッド）１１と、ＯＰヘッド１１からの再生信号に後述するＲＦ処理、ウォブル検出処理、サーボ検出処理を施すリードプロセッサ１２と、このリードプロセッサ１２の出力からアドレスデータ及び記録データのチャネルビットデータを取り出すリードチャネルプロセッサ１３と、このリードチャネルプロセッサ１３から本発明のデータ転送方法に基づいて転送されたチャネルビットに対して復調処理を施してアドレスデータ及び記録データを復調する復調部、或いは記録時の変調部、さらにはサーボ処理部も含めたデジタル信号処理部（ＤＳＰ）１４と、このＤＳＰ１４からの復調データや、或いは記録用データに所定のデータ処理を施したり、或いは上記アドレスデータをデコードするデータマネージャ部１５とを備えている。
【００１４】
また、この光ディスク記録再生装置は、ユーザの指示に従った記録用のデータに処理の書き込み処理を施すライトプロセッサ１６と、このライトプロセッサ１６からのレーザ駆動パルスに応じてＯＰヘッド１１中の例えばレーザダイオードをオートパワーコントロール（ＡＰＣ）して駆動するＬＤドライバ１７と、光ディスク１０を回転させるスピンドルモータ１９の制御を行うスピンドル回路１８とを備えている。
【００１５】
また、この光ディスク記録再生装置は、ＲＯＭ２２に格納された所定のアプリケーションプログラムや、Ｉ／Ｆ２３を介してホストコンピュータからダウンロードしたアプリケーションをＲＡＭ２１に展開しながら上記各部を制御するＣＰＵ２０も備えている。また、Ｉ／Ｆ２３は図示しない例えばＡＶシステムからの記録／再生コマンドや、記録用の画像記録ビットストリームをこの光ディスク記録再生装置に処理させるためのインターフェースとしても機能する。
【００１６】
ＯＰヘッド１１はレーザダイオードＬＤを含む光学系、再生ＩＶアンプ、２軸アクチュエータ等から構成される。
【００１７】
リードプロセッサ１２は、詳細については後述するが、ＲＦ処理部１２ａと、ウォブル処理部１２ｂと、サーボ信号検出１２ｃからなる。
【００１８】
次に、この光ディスク記録再生装置の記録時、再生時の基本的な動作について説明する。
先ず、記録の際、例えばＩ／Ｆ２３を介して図示しないＡＶシステムより、記録コマンドと、ＭＰＥＧ２の画像記録ストリームが光ディスク記録再生装置に送られる。コマンドはＣＰＵ２０が受ける。ＣＰＵ２０はデータマネージャ部１５からアドレス情報を得、ＤＳＰ１４のサーボ部にＯＰヘッド１１をシークさせ、ＯＰヘッド１１を所望のアドレス位置に移動させる。記録ストリームはデータマネージャ部１５のＥＣＣ部でエラー訂正エンコードされる。エラー訂正エンコードされたビットストリームは、ＤＳＰ１４の変調部にて記録用データに変調される。ライトプロセッサ１６では記録用データに記録補償を行いデータマネージャ部１５のアドレスDECＴＧからのタイミングで、ＯＰヘッド１１のＬＤをＬＤドライバ１７でドライブし光ディスク１０にチャネルビットを記録する。
【００１９】
次に、再生の際、ＡＶシステムより、再生コマンドがＣＰＵ２０に送られる。ＣＰＵ２０はデータマネージャ部１５のアドレスＤＥＣ部よりアドレス情報を得、サーボ部にＯＰヘッド１１をシークさせ、ＯＰヘッド１１を所望のアドレス位置に移動させる。ＯＰヘッド１１より再生信号を得、リードプロセッサ１２のＲＦ処理部１２ａにてＰＬＬ等により再生データを得る。再生データはリードチャネルプロセッサ１３にてチャネルビットに復号されてから、ＤＳＰ１４内部の復調回部にて復調される。復調されたビットストリームはデータマネージャ部１５内部のＥＣＣ部にてエラー訂正デコードされた後、画像再生ビットストリームとしてＩ／Ｆ２３を介したＡＶシステムに送られる。
【００２０】
上記記録の際、及び再生の際に、リードプロセッサ１２内部のウォブル処理部１２ｂは、ＯＰヘッド１１からの読み取り信号からウォブル信号を検出し、このウォブル信号から同期信号を生成し、その同期信号をデータマネージャ部１５内部のアドレスDEC部に送る。
【００２１】
また、上記記録の際、及び再生の際に、リードプロセッサ１２内の、ＲＦ処理部１２ａは、ＯＰヘッド１１からの再生信号に波形等化処理、ＰＬＬ（フェーズロックループ）処理、ＡＧＣ（オートゲインコントロール）処理、及びＡＤＣ（アナログ-デジタルコンバート）処理を施す。
【００２２】
【問題を解決するための手段】
本発明に係るデータ転送方法は、上記課題を解決するために、ディスク状記録媒体の読み出し信号から得た、変調方式が異なるアドレス情報と記録データの復号データを復調部に転送するためのデータ転送方法において、上記アドレス情報及び記録データの復号データを、二つの復号データのクロックの互いに異なる分周値に対して最小公倍数の分周値となるクロックで、かつ上記二つの復号データの互いに異なる各チャネル数の最小公倍数のチャネル数の並列転送により転送する。
【００２３】
また、本発明に係るデータ再生装置は、上記課題を解決するために、ディスク状記録媒体から信号を読み出すヘッド手段と、上記ヘッド手段からの信号に対して再生処理を施す再生処理手段と、上記再生処理手段の出力から変調方式の異なるアドレス情報と記録データを復号し、これら復号データを各復号データのクロックの互いに異なる分周値に対して最小公倍数の分周値となるクロックで、かつ上記各復号データの互いに異なる各チャネル数の最小公倍数のチャネル数の並列転送により転送する復号処理手段と、上記復号処理手段から転送された復号データを記録データに復調する復調手段とを備える。
【００２４】
内部演算のためのビット検出処理は以下の通りである。先ず、リードプロセッサ１２のＲＦ処理部１２ａでＡ／Ｄ変換されたデジタルデータについて、センターレベルをコンパレートレベルとしたレベル比較処理を行い、センターレベルを境に”１”又は”０”の判定を行う。これにより、上記デジタルデータのレベル（振幅値）がコンパレートレベル以上の場合には論理レベル”１”のチャネルビットデータを、上記デジタルデータのレベルがコンパレートレベル（振幅値）未満の場合には論理レベル”０”のチャネルビットデータを出力する。また、このビット検出処理は、上記デジタルデータのレベル（振幅値）がコンパレートレベルと等しいときには、その前後の振幅値の和とコンパレータレベルとの大小により論理レベル“０”のチャネルビットデータ又は、論理レベル“１”のチャネルビットデータを出力するようにしてもよい。データ補正処理は、上記ビット検出処理により得られたチャネルビットデータに対して、上記補正ビット位置検出を指定する補正ビット位置指定信号に基づいて補正処理を行う。例えば、（１，７）変調処理においては、ビット検出結果から３ビット連続で、同符号かつ真ん中のサンプルレベルがthrs±α内である場合、真ん中のビットを符号反転して１Ｔに補正する。１Ｔ補正後のビット列より１Ｔを検出し、前後のサンプルレベルを比較して２Ｔに補正する。サンプルレベルが同じときは、直前に補正したエッジと同じエッジを補正する。そして、データ補正処理により、補正処理済みのチャネルビットデータを出力する。ここで、リードチャネルプロセッサ１３が出力するのはアドレス部の３チャネルビットデータと、データ部の２チャネルビットデータである。
【００２５】
ＤＳＰ１４には上述したように復調処理を行う復調部が備えられている。以下、復調部の符号を１４とし、リードプロセッサ１２と、リードチャネルプロセッサ１３との接続関係を図２に示す。ところで、大容量の光ディスクからデータを再生する装置においては、チャネルクロックは高速であることが想定されるため、アドレス／データのチャネルビットを生成するリードチャネルプロセッサ１３から復調部１４へのデータ転送は複数チャネルのパラレルデータにする必要がある。
【００２６】
そこでこの実施の形態では、リードチャネルプロセッサ１３から復調部１４へのデータの転送を、復調部１４にとってアドレス、データのどちらにも都合が良いビット単位になるように、復号データについては両方の最小公倍数である６チャネルパラレルとし、クロックについては６分周クロックとする。
【００２７】
つまり、図３に示すように、データバスを３チャネルパラレルにしアドレス部とデータ部で転送するチャネルビットを３チャネルパラレルと２チャネルパラレルを切り替え、それぞれの同期クロック（３分周クロックと２分周クロック）も切り替えるようにするよりも、同期クロックを６分周にすれば、パルス幅は２３．１nsと長くなるため、基準クロックが１３０MHzと非常に速い場合でも、充分安全な転送速度が確保できる。また、データも６チャネルパラレルとすれば、復調部１４がもし６チャネルパラレルで処理するものであったときに都合がよい。
【００２８】
リードチャネルプロセッサ１３内部の動作について図４及び図５を用いて説明する。リードチャネルプロセッサ１３内部で復号されたアドレスの３チャネルビットデータＡdとウォブル処理部１２ｃのＰＬＬ部で得られた同期クロックに基づいた３分周クロックwckは、６チャネルパラレル変換部３１に供給される。また、同様にデータの２チャネルビットデータＤとＲＦ処理部１２ａのＰＬＬ部で得られた同期クロックに基づいた２分周クロックrckは６チャネルパラレル変換部３２に供給される。６チャネルパラレル変換部３１及び３２では、アドレスの３チャネルビットデータＡdとそのクロックwck、及びデータＤの２チャネルビットデータとそのクロックrckとを、上述したように、両方の最小公倍数である６チャネルパラレルデータ、クロックについては６分周クロックとし、切り替え部３３のデータ切り替えスイッチ３４とクロック切り替えスイッチ３５に供給する。切り替え部３３はデータゲートパルスＧDにより各切り替えスイッチ３４及び３５が連動して切り替えられ、データゲートパルスＧDがＨのときにはデータ部の６チャネルパラレルデータと６分周クロックを、またデータゲートパルスＧDがＬのときにはアドレス部の６チャネルパラレルデータと６分周クロックを復調部１４に供給する。
【００２９】
パラレル変換部３２が、２チャネルパラレルデータと、２分周クロックrck２とを、６チャネルパラレルデータと、６分周クロックrck６にして出力するタイミングを図５の（Ａ）として示す。また、パラレル変換部３１の動作例として、２チャネルパラレルデータと、２分周クロックwck２とが入力された場合に、６チャネルパラレルデータと、６分周クロックwck６にして出力するタイミングを図５の（Ｂ）として示す。そして、データゲートパルス（出力信号切替タイミング信号）ＧＤに応じて切替部３３が切替スイッチ３４及び３５を切り替えて復調部１４へ出力する６チャネルパラレルの信号出力とクロック出力（rck6/wck6）のタイミングの一例を図５の（Ｃ）に示す。
【００３０】
このように、上記実施の形態の光ディスク記録再生装置内部においては、リードチャネルプロセッサ１３から復調部１４に本発明のデータ転送方法に基づいてチャネルビットデータを転送するので、アドレス部とデータ部を共用のデータバスで転送する場合、復調部でどちらを復調するにも都合の良いビット単位でのデータ転送が可能となる。
【００３１】
また、チャネルクロックが１００ＭＨｚを越えるように非常に速かった場合、リードチャネルプロセッサ内部処理に用いる２分周クロックからデューティ５０％の６分周クロックを容易に作ることができる。
【００３２】
チャネルクロックが１００ＭＨｚを越えるように非常に速かった場合でも、６分周クロックなら充分に安全な転送速度が確保できる。
【００３３】
なお、本発明は上記実施の形態の他に、例えばＥＦＭ変調と１，７ＰＰ変調の組合せにも適用できる。８チャネルビットを１４データビットとするＥＦＭ方式と、２チャネルビットを１データビットとする１，７ＰＰ方式との最小公倍数である８チャネルパラレルにし、また同期クロックも８分周クロックとすれば、どちらを復調するにも都合の良いビット単位でのデータ転送が可能となる。
【００３４】
【発明の効果】
本発明によれば、アドレスのチャネルビットとデータのチャネルビットを共有のデータバスでデータ転送するとき、復調部でどちらを復調するにも都合の良いビット単位でのデータ転送を可能とすることができる。
【図面の簡単な説明】
【図１】本発明の実施の形態となる光ディスク記録再生装置の構成を示す図である。
【図２】リードプロセッサと、リードチャネルプロセッサと、復調部との接続関係を示す図である。
【図３】従来のデータ転送方法のクロックと、本発明のデータ転送方法におけるクロックについて説明するための図である。
【図４】上記リードチャネルプロセッサの動作を説明するための要部を示す図である。
【図５】上記リードチャネルプロセッサの動作を説明するためのタイミングチャートである。
【符号の説明】
１１  ＯＰヘッド、１２  リードプロセッサ、１３  リードチャネルプロセッサ、１４  復調部（ＤＳＰ）、１５  データマネージャ
【図１】
0004314694.tif 000002
【図２】
0004314694.tif 000003
【図３】
0004314694.tif 000004
【図４】
0004314694.tif 000005
【図５】
0004314694.tif 000006